(57)【要約】【課題】ユーザが、自分と好みの近い（友達に適する）ユーザを探して友達登録を行なうことができるコミュニティ形成システムの提供。【解決手段】ユーザは、ユーザ・データベース１３１に自分の好みを示すキーワードであるお気に入りワードを登録する。ユーザ検索手段１３５は、そのユーザと一致するお気に入りワードを持つユーザをユーザ・データベース１３１から検索して、検索結果を該ユーザに送信する。これにより、ユーザは自分と好みの近いユーザを簡単に探すことができる。コミュニティ形成処理１３６は、ユーザが友達になりたいユーザに友達申込を送信すると、その旨を相手のユーザに通知し、相手のユーザから登録申込を受信すると、これらのユーザが友達になった旨を、ユーザ・データベース１３１に登録する。これにより、ユーザ間のコミュニティを形成することができる。【選択図】図１
2008102629.tif 000002
【特許請求の範囲】
【請求項１】
ユーザ同士を友達登録するコミュニティ形成システムであって、
少なくとも、ユーザのＩＤと当該ユーザのＩＤに対応付けられた少なくとも１つのお気に入りワードとを記憶しているユーザ記憶手段と、
前記ユーザと同じお気に入りワードを持つ他のユーザを前記ユーザ記憶手段から検索して、検索結果を前記ユーザのユーザ端末に送信するユーザ検索手段と
を備えることを特徴とするコミュニティ形成システム。
【請求項２】
請求項１に記載のコミュニティ形成システムであって、
さらに、前記ユーザのユーザ端末から他のユーザのユーザ端末への友達申込を受信すると、該友達申込を該他のユーザのユーザ端末に送信する友達申込通知手段と、
該他のユーザのユーザ端末から登録申込を受信すると、前記ユーザと前記他のユーザとが友達である旨を前記ユーザ記憶手段に記憶する友達登録手段と
を備えることを特徴とするコミュニティ形成システム。
【請求項３】
請求項２に記載のコミュニティ形成システムであって、
さらに、前記ユーザのユーザ端末から他のユーザを友達候補としたい旨を受信すると、該他のユーザを友達候補として前記ユーザ記憶手段に記憶する友達候補登録手段
を備えることを特徴とするコミュニティ形成システム。
【請求項４】
請求項１〜３のいずれかに記載のコミュニティ形成システムであって、
前記ユーザ検索手段は、ユーザ端末から入力されたワードを前記お気に入りワードに含むユーザを検索すること
を特徴とするコミュニティ形成システム。
【請求項５】
請求項４に記載のコミュニティ形成システムであって、
前記ユーザ記憶手段は、２以上のお気に入りワードを記憶しており、
前記ユーザ検索手段は、前記ユーザ端末から少なくとも１つのお気に入りワードを受信し、当該受信したお気に入りワードを前記お気に入りワードに含む他のユーザを検索すること
を特徴とするコミュニティ形成システム。
【請求項６】
ユーザ同士を友達登録するコミュニティ形成方法であって、
少なくとも、ユーザのＩＤと当該ユーザのＩＤに対応付けられた少なくとも１つのお気に入りワードとをユーザ記憶手段に記憶しており、
前記ユーザと同じお気に入りワードを持つ他のユーザを前記ユーザ記憶手段から検索して、検索結果を前記ユーザのユーザ端末に送信するユーザ検索ステップと
を備えることを特徴とするコミュニティ形成方法。
【請求項７】
請求項１〜５のいずれかに記載のコミュニティ形成システムの各手段をコンピュータに機能させるためのプログラム。
【発明の詳細な説明】
【技術分野】
【０００１】
本発明は、ユーザ同士が友達登録を行なってコミュニティを形成するコミュニティ形成システムに関する。
【背景技術】
【０００２】
従来、インターネット上のオークション・システム等においては、ひとつのシステムに多くの利用者（ユーザ）が登録し、サービスを利用している。
このようなシステムにおいて、ユーザが他のユーザ、特に、好み（趣味や嗜好）が近いユーザと友達になることは、オークション取引件数の増加にもつながり、必要性が高い。
しかしながら、従来のオークション・システム等には、友達であることをシステムに登録する機能は用意されていない。そのため、例えば同じユーザと繰り返し取引をしたことがきっかけで、そのユーザと個別に友達になる可能性はあるとしても、友達同士の集まり（コミュニティ）を形成することはできない。
また、他のユーザの好みを判断しうる材料は、例えば、公開されている各ユーザの取引履歴（出品・落札した商品等の履歴）や簡単なプロフィール文章くらいしかなく、ユーザが自分と好みの近いユーザを見つけることは難しい。
特に、ネット・オークションのように個人間取引を主とするサービスにおいて、ユーザが、好みの近い（友達に適する）ユーザを効率的に探して友達登録を行ない、コミュニティを形成することができれば、ユーザは自分が欲しい商品を探しやすく、また、自分の商品を売りやすくなる。これは、オークション・システムの大きな付加価値となる。
【発明の開示】
【発明が解決しようとする課題】
【０００３】
本発明の課題は、上記の課題を解決して、ユーザが、自分と好みの近い（友達に適する）ユーザを効率的に探して友達登録を行ない、コミュニティを形成することができるコミュニティ形成システムを提供することである。
【課題を解決するための手段】
【０００４】
上記の課題を解決するために、本発明は、ユーザ同士を友達登録するコミュニティ形成システムであって、少なくとも、ユーザのＩＤと当該ユーザのＩＤに対応付けられた少なくとも１つのお気に入りワードとを記憶しているユーザ記憶手段と、前記ユーザと同じお気に入りワードを持つ他のユーザを前記ユーザ記憶手段から検索して、検索結果を前記ユーザのユーザ端末に送信するユーザ検索手段とを備えることを特徴とするコミュニティ形成システムである。
【０００５】
また、前記ユーザのユーザ端末から他のユーザのユーザ端末への友達申込を受信すると、該友達申込を該他のユーザのユーザ端末に送信する友達申込通知手段と、該他のユーザのユーザ端末から登録申込を受信すると、前記ユーザと前記他のユーザとが友達である旨を前記ユーザ記憶手段に記憶する友達登録手段とを備えることを特徴としてもよい。
さらに、前記ユーザのユーザ端末から他のユーザを友達候補としたい旨を受信すると、該他のユーザを友達候補として前記ユーザ記憶手段に記憶する友達候補登録手段を備えることを特徴としてもよい。
また、前記ユーザ検索手段は、ユーザ端末から入力されたワードを前記お気に入りワードに含むユーザを検索することを特徴としてもよい。。
また、前記ユーザ記憶手段は、２以上のお気に入りワードを記憶しており、前記ユーザ検索手段は、前記ユーザ端末から少なくとも１つのお気に入りワードを受信し、当該受信したお気に入りワードを前記お気に入りワードに含む他のユーザを検索することを特徴としてもよい。
【０００６】
また、本発明は、ユーザ同士を友達登録するコミュニティ形成方法であって、少なくとも、ユーザのＩＤと当該ユーザのＩＤに対応付けられた少なくとも１つのお気に入りワードとをユーザ記憶手段に記憶しており、前記ユーザと同じお気に入りワードを持つ他のユーザを前記ユーザ記憶手段から検索して、検索結果を前記ユーザのユーザ端末に送信するユーザ検索ステップとを備えることを特徴とするコミュニティ形成方法である。
【０００７】
請求項１〜５のいずれかに記載のコミュニティ形成システムの各手段をコンピュータに機能させるためのプログラムも、本発明である。
【発明の効果】
【０００８】
本発明のコミュニティ形成システムによれば、ユーザは、通常のプロフィール以外に、他のユーザに公開する「お気に入りワード」を登録する。お気に入りワードは、自分の好み（趣味や嗜好）を示すキーワード（例えば、好きなブランド、アーティスト、キャラクター等の名称）である。
お気に入りワードを登録することにより、ユーザは、自分のお気に入りワードの一部または全部と同じお気に入りワードを登録しているユーザ、すなわち、好みが近い（友達に適する）ユーザを、簡単に検索することができる。逆に、似た好みを持つ他のユーザから検索してもらい易くなる。
さらに、本発明では、友達になりたいユーザに友達申込を行ない、相手から了承（登録申込）が得られれば、友達になることができる。友達である旨はサーバに登録され、友達同士の集まり（コミュニティ）を形成する。
特に、本発明のコミュニティ形成システムを、ネット・オークション等の個人売買システムに利用することにより、欲しい商品（自分の好みに近い商品）が見つかる可能性が高くなる。また、自分が出品する商品も売りやすくなる。このように、本発明は、オークションの取引件数の向上にも資する。
また、ネット・オークションやウェブログ等の、既に多数のユーザが登録しているシステムに本発明のコミュニティ形成システムを導入すれば、ユーザは効率的に多くの友達を作ることができる。
【発明を実施するための最良の形態】
【０００９】
以降、図面を参照しながら、本発明のコミュニティ形成システムの実施形態を詳細に説明する。ここでは、コミュニティ形成システムをネット・オークションのシステムに用いる（オークション・システムのユーザがコミュニティを形成する）場合の例で説明する。
【００１０】
＜１．システム構成＞
図１は、本実施形態のコミュニティ形成システムのシステム構成例である。
ユーザ端末１１０は、コミュニティ形成システムのユーザ（ここで説明する例では、オークション・システムのユーザでもある）が使用する、パソコンや携帯電話などの端末である。ブラウザ１１２は、ユーザ端末１１０にインストールされているブラウザソフトである。ユーザ端末１１０は、インターネット１２０などのネットワークを通じてサーバ１３０に接続している。サーバ１３０は、ユーザに本実施形態のコミュニティ形成システムを提供するサーバである。
【００１１】
サーバ１３０において、ユーザ・データベース１３１は、ユーザの情報を記憶しているデータベースである。ユーザ・データベース１３１の主要な項目を、図２に示す。なお、ここでは、図２に示す項目を全てユーザ・データベース１３１に格納する例で説明するが、複数のデータベースに分けて記憶してもよい。
【００１２】
図２において、「ユーザＩＤ」は、ユーザに一意のＩＤである。「パスワード」は、ユーザのパスワードである。ユーザは、ユーザＩＤとパスワードでサーバ１３０にログインして本実施形態のコミュニティ形成システムを利用する。ユーザＩＤおよびパスワードは、ユーザ登録時にユーザ・データベース１３１に登録する。パスワードは必要に応じて更新するようにしてもよい。
「個人情報」は、ユーザの氏名・住所・電話番号・メールアドレスなどの個人情報である。個人情報は、ユーザ登録時にユーザ・データベース１３１に登録し、必要に応じて更新する。本実施形態では、個人情報は他のユーザに公開しない。
なお、本実施形態の例（オークション・システムのユーザがコミュニティを形成する）では、上述のユーザＩＤ、パスワード、個人情報は、オークション・システムで使用しているものを用いる。
【００１３】
一方、「プロフィール」および「お気に入りワード」は、他のユーザに公開する情報である。プロフィールは、ユーザ名（ニックネーム）、自己紹介文、性別、生年月日、結婚暦、血液型、趣味、好きなもの、嫌いなもの等の情報である。お気に入りワードは、ユーザの好みを示すキーワード（例えば、好きなブランドやアーティスト、キャラクター等の名称）である。図２に示される「プロフィール」および「お気に入りワード」、その他の情報は、ユーザＩＤに対応付けられてユーザ・データベース１３１に記憶される。
なお、同一キーワードで複数の意味を持つ場合がある。このような場合に備え、そのキーワードが属するカテゴリも用意しておくとよい。例えば、お気に入りワードとして「マウス」を登録する際、カテゴリとして「動物」または「コンピュータ」を併せて登録できるようにする。これにより効率的な検索をすることが可能となる。
これらのプロフィールおよびお気に入りワードは、サーバ１３０からユーザ端末１１０に送信されブラウザ１１２に表示される各画面（ウェブページ）に、ユーザが入力を行なうことにより登録する。プロフィール登録処理１３４は、ユーザが入力したプロフィールやお気に入りワードをユーザ・データベース１３１に登録するプログラムである。
【００１４】
このように、プロフィールやお気に入りワードをユーザ・データベース１３１に記憶しているので、ユーザは、プロフィールの項目やお気に入りワードを検索条件として、他のユーザを検索することができる。
特に、自分が登録しているお気に入りワードを検索条件とすることで、他のユーザから検索されるだけでなく、自分と好みが近い（友達に適した）ユーザを簡単に探すことができる。キーワードは、他のユーザから検索されるために用いられることに加えて、他のユーザを検索するために用いられる。
自分自身で入力したキーワードに基づいて他のユーザから検索されることにより、入力したユーザの属性や趣味に近似する属性や趣味の他のユーザからのコンタクトを期待することができる。一方、自分自身で入力したキーワードに基づいて他のユーザを検索することにより、入力したユーザの属性や趣味に近似する属性や趣味の他のユーザにコンタクトする機会が増える。
属性や趣味が近似するユーザ間でコミュニティを形成する機会を増やすことで、お互いにオークションにおける出品者である場合の出品情報をコミュニティ利用により入手することができ、オークションの取引がコミュニティの形成により活性化される。
ユーザ検索処理１３５は、ユーザ端末１１０から入力された検索条件に応じてユーザを検索し、結果をユーザ端末１１０に送信するプログラムである。ユーザは、検索結果のユーザが表示された画面から、各ユーザのプロフィール等を閲覧できる。
【００１５】
本実施形態では、ユーザ同士が友達（ここでは、オークション友達の意味で「オク友」ともいう）になると、友達である旨をサーバ１３０に登録（以降、友達登録という）する。これにより、ユーザ間のコミュニティが形成されていく。
ユーザが他のユーザと友達になるには、まず、友達になりたいユーザに、友達になってもらえるよう申し込む（以降、友達申込という）。友達申込を受けたユーザは、そのユーザと友達になりたい場合には、友達登録の申込み（以降、登録申込という）を行なう。
登録申込があると、ユーザ・データベース１３１の双方の「友達情報」に、互いを友達登録する。すなわち、それぞれのユーザの「友達情報」に、相手のユーザＩＤや登録日時等を記憶する。なお、友達情報は、ユーザ・データベース１３１とは別のデータベースを用意して記憶してもよい。
また、気になっているが今はまだ友達申込をしないユーザを、友達候補（気になるユーザ）としてユーザ・データベース１３１に登録することができる。ユーザ・データベース１３１の「友達候補情報」に、友達候補のユーザＩＤや登録日時を記憶する。
コミュニティ形成処理１３６は、友達依頼の通知、友達登録、および友達候補の登録の各処理を行なうプログラムである。
【００１６】
また、「一言日記」は、ユーザが記入し、他のユーザに公開するメッセージである。一言日記には、メッセージの本文と公開日時等を記憶する。なお、一言日記は、ユーザ・データベース１３１とは別のデータベースを用意して記憶してもよい。
「アクセス情報」は、他のユーザがそのユーザのプロフィールにアクセス（閲覧）した履歴であり、アクセスしたユーザ名とアクセス日時等を記憶する。
「最終ログイン日時」は、ユーザがサーバ１３０に最後にログインした日時である。
「ポイント情報」は、ユーザが取得しているポイントに関する情報（ポイント数やポイント取得履歴、ポイント使用期限等）である。ポイントは、例えば、オークションの取引（出品・入札・落札）や日記更新等に対してユーザに与え、本実施形態のコミュニティ形成システムが提供するサービスの購入に使用できるようにする。
一言日記、アクセス情報、最終ログイン日時、ポイント情報の更新も、上述のプロフィール登録処理１３４で行なう。
【００１７】
さらに、本実施形態では、友達登録したユーザ間でメールの送受信を行なうサービスを提供する。本実施形態では、通常のメールソフトによるメール送受信ではなく、従来のウェブメールと同じように、ユーザ端末１１０のブラウザ１１２に表示される専用の画面上でメールの送受信を行なう。
すなわち、ブラウザ１１２から送信されたメールはメールボックス１３２に記憶され、ユーザは、ブラウザ１１２からメールボックス１３２にアクセスして、自分のメール（自分宛てのメール、および自分が送信したメール）を閲覧する。これにより、ユーザは、互いのメールアドレスを知らなくても、メールの送受信をすることができる。
メール送受信処理１３７は、メールの送信や閲覧等に関する各処理を行なうプログラムである。
なお、インターネットを利用したｅメールや同一キャリア間のショートメールによってメール送受信が行えるようにしてもよい。
【００１８】
また、オークション・データベース１３３およびオークション処理１３８は、オークション・システムを提供するためのデータベースおよびプログラムである。
オークション・データベース１３３は、オークションの情報（商品情報や出品・入札・落札に関する情報など）を記憶しているデータベースである。オークション処理１３８は、オークション・データベース１３３に登録・更新して、オークションの各処理（出品・入札・落札等）を行なうプログラムである。
なお、本実施形態では、コミュニティ形成システムをオークション・システムに用いる例で説明しているが、オークション・システム以外の、例えば、ウェブログのシステム等に用いてもよいし、コミュニティ形成システム単独で用いてもよい。
＜２．ユーザ端末に表示する画面＞
【００１９】
ユーザは、ユーザ端末１１０のブラウザ１１２に表示される各画面で、本実施形態のコミュニティ形成システムを利用する。
図３は、ユーザがサーバ１３０にログインし、ユーザ連携機能、すなわち、コミュニティ形成システムを利用する際に、ブラウザ１１２に最初に表示されるトップ画面の例である。このトップ画面３００から、プロフィールの登録や閲覧、コミュニティ形成等の各画面に遷移する。なお、図３の矢印は、左右に示したページが一続きのページであることを示している（以降の図においても同じ）。
【００２０】
トップ画面３００には、例えば、ユーザやオークションに関するランキング等を表示する。
今話題のキーワード登録表示欄３２０には、話題性や季節性のあるキーワード（あらかじめシステムで決めておく）を本日のキーワードとして表示するとともに、そのキーワードをお気に入りワードに登録しているユーザをユーザ・データベース１３１から検索して、ユーザ名と最新の一言日記を一覧表示する。「モット見る」３２１をクリックすると、一覧の続きを表示する。
最新更新順表示欄３３０には、一言日記が最近更新されたユーザをユーザ・データベース１３１から検索して、更新が新しい順にユーザ名と一言日記を一覧表示する。「モット見る」３３１をクリックすると、一覧の続きを表示する。
昨日のアクセスランキング表示欄３４０には、ユーザ・データベース１３１のアクセス情報を参照して、前日のアクセス数が多いユーザを検索し、アクセス数が多い順にユーザ名とアクセス数を一覧表示する。「モット見る」３４１をクリックすると、ランキングの続きを表示する。
【００２１】
最新出品者順表示欄３５０には、最近出品されたオークションをオークション・データベース１３３から検索して、出品者のユーザ名と商品名、開始価格を、新しい順に表示する。「モット見る」３５１をクリックすると、ランキングの続きを表示する。
昨日の落札金額順表示欄３６０には、前日落札されたオークションをオークション・データベース１３３から検索して、出品者のユーザ名と落札金額、商品名、開始価格を、落札金額の高い順に表示する。「モット見る」３６１をクリックすると、ランキングの続きを表示する。
気になるユーザ登録数ランキング表示欄３７０には、多くのユーザから友達候補として登録されているユーザをユーザ・データベース１３１から検索して、友達候補に登録しているユーザ数が多い順に、ユーザ名とユーザ数を表示する。「モット見る」３７１をクリックすると、ランキングの続きを表示する。
キーワード登録件数ランキング表示欄３８０には、多くのユーザがお気に入りワードとして登録しているキーワードをユーザ・データベース１３１から検索して、そのキーワードを登録しているユーザ数が多い順に、そのキーワードとユーザ数を表示する。「モット見る」３８１をクリックすると、ランキングの続きを表示する。
なお、上述のトップ画面３００の表示内容（ランキング等）は一例であり、システムで自由に決めてよい。
【００２２】
キーワード登録件数ランキング表示欄３８０において、各キーワードをクリックすると、そのキーワードをお気に入りワードに登録しているユーザに絞り込んで、これらのユーザを最新更新順および昨日のアクセスランキング順のそれぞれの項目で表示する。
キーワード入力欄３８２にキーワードを入力して「検索」３８３をクリックすると、入力したキーワードをお気に入りワードに登録しているユーザに絞り込んで、これらのユーザを最新更新順および昨日のアクセスランキング順のそれぞれの項目で表示する。
また、「あなたのオク友に絞って見る」３９１をクリックすると、そのユーザと友達登録をしているユーザに絞り込んで、これらのユーザを最新更新順および昨日のアクセスランキング順のそれぞれの項目で表示する。
【００２３】
また、トップ画面３００において「あなたのプロフィールページを見る」３９２をクリックすると、自分のプロフィールを表示したプロフィール表示画面に遷移する。図４は、プロフィール表示画面（自分から見える画面）の例であり、ユーザ・データベース１３１に登録したプロフィール等を表示する。
また、トップ画面３００の各表示欄に表示されたユーザ名をクリックすると、そのユーザのプロフィール等を表示したプロフィール表示画面に遷移する。図５は、プロフィール表示画面（他人から見える画面）の例である。
なお、図４，図５のプロフィール表示画面については、後述の＜４．プロフィール閲覧＞で詳しく説明する。
【００２４】
＜３．プロフィール登録＞
ユーザは、他のユーザに公開するプロフィール、お気に入りワード、一言日記等を登録し、必要に応じて更新する。プロフィール表示画面４００では、プロフィールの設定・更新・確認、その他の処理を選択することができる。このとき、登録されたお気に入りキーワードやユーザのプロフィールに基づいた広告を各ユーザのページに表示するようにしてもよい。ここで、お気に入りワードについてカテゴリが登録されている場合、例えば、お気に入りキーワードとして「マウス」を登録しているユーザに対しては、ユーザ・データベース１３１を参照して動物カテゴリとコンピュータカテゴリとを判別し、それぞれのカテゴリに基づいた広告を表示させるようにすることでユーザへの訴求力を向上させることができる。
上述の図４のプロフィール表示画面４００において、ユーザが「プロフィールページの設定」４６６をクリックすると、プロフィール、お気に入りワード、一言日記等を登録・更新するためのプロフィール管理画面に遷移する。登録・更新された内容は、プロフィール登録処理１３４により、ユーザ・データベース１３１に記憶する。
図６は、プロフィール管理画面の例である。プロフィール管理画面６００には、ユーザ・データベース１３１に既に登録されているプロフィール等があれば、それを表示する。ユーザ名表示欄６０１には、ユーザ名を表示する。ポイント表示欄６０６には、そのユーザが使用できるポイント数を表示する。
【００２５】
（３−１．デザインの選択）
デザイン表示欄６１２には、プロフィール表示画面（図４，図５）を飾るデザインを表示する。デザインはシステムであらかじめ用意し、ユーザがその中から好みのものを選ぶ。また、デザインの中には、ポイントで購入するものも用意する。「プロフィールページをカスタマイズする」６１１をクリックすると、デザインを選択するためのプロフィールページデザイン選択画面に遷移する。
図７（ａ）は、プロフィールページデザイン選択画面の例である。プロフィールページデザイン選択画面７００において、ポイント表示欄７０１には、現在使用できるポイント数を表示する。デザイン一覧表示欄７０２には、デザインのテンプレートと、購入に必要なポイント数を一覧表示する。デザイン名をクリックして選択すると、選択したデザインを確認するためのプロフィールページデザイン確認画面に遷移する。
図７（ｂ）は、プロフィールページデザイン確認画面の例である。プロフィールページデザイン確認画面７５０において、ユーザ名表示欄７５１には、ユーザ名を表示する。デザイン表示欄７５２には、選択したデザインを表示する。「プレビュー」ボタン７５３をクリックすると、このデザインを適用した場合のプロフィール表示画面（図４）を表示する。「このデザインを選択」ボタン７５４をクリックすると、このデザインを選択した旨をユーザ・データベース１３１のプロフィールに記憶する。「戻る」リンク７５５をクリックすると、ユーザ・データベース１３１に記憶しないで、プロフィールページデザイン選択画面７００に戻る。
また、プロフィール表示画面を飾るデザインを選択するだけでなく、プロフィール表示画面を構成する文字色や背景についても、システムであらかじめ用意したものの中からユーザが好みのものを選ぶようにしてもよい。
【００２６】
（３−２．プロフィールの登録）
図６に戻り、「プロフィールを変更する」６１５をクリックすると、ユーザがプロフィールの登録・変更を行なうためのプロフィール編集画面に遷移する。
図８（ａ）は、プロフィール編集画面の例である。プロフィール編集画面８００において、ユーザ名表示欄８０１には、ユーザ名を表示する。なお、本実施形態ではユーザ登録時にユーザが好きな名前（ただし、ユーザに一意の名前）を決めるが、以降の変更はできないものとする。
自己紹介入力欄８０２は、自己紹介文を入力するテキストボックスである。
在住都道府県入力欄８１１は、在住の都道府県を選択するリストボックスである。性別入力欄８１２は、性別を選択するラジオボタンである。生まれた年入力欄８１３および生まれた月日入力欄８１４は、それぞれ、生まれた年および生まれた月日を入力するテキストボックス（またはリストボックス）である。結婚入力欄８１５は、既婚・未婚等を選択するリストボックスである。血液型入力欄８１６は、血液型を選択するリストボックスである。
趣味入力欄８１７，好きなもの入力欄８１８，嫌いなもの入力欄８１９は、それぞれ、趣味、好きなもの、嫌いなものを入力するテキストボックスである。
また、上述の在住都道府県〜嫌いなものの各項目の右にあるリストボックスは、各項目を他のユーザに公開するか非公開とするかを指定するリストボックスであり、例えば「全体に公開」、「オク友に公開」、「非公開」の選択肢を用意する。
なお、各項目の入力方法（リストボックスかテキストボックスか等）や、各項目の公開・非公開の設定は、上記に限らずシステムで自由に決めてよい。
【００２７】
上述の各項目に入力して「確認」ボタン８２１をクリックすると、図８（ｂ）に示すプロフィール確認画面に遷移する。
プロフィール確認画面８５０には、ユーザ名８５１とともに、ユーザが入力した自己紹介８５２，在住都道府県８６１，性別８６２，生まれた年８６３，生まれた月日８６４，結婚８６５，血液型８６６，趣味８６７，好きなもの８６８，嫌いなもの８６９を表示する。また、それらの項目の右には、図８（ａ）のプロフィール編集画面８００で選択された公開・非公開の別を表示する。
「登録」ボタン８７１をクリックすると、入力した内容をユーザ・データベース１３１のプロフィールに記憶する。「修正」ボタン８７２をクリックすると、ユーザ・データベース１３１に登録しないで、プロフィール編集画面８００に戻る。
プロフィールを新規に作成する場合、図８（ａ）に示されるプロフィール編集画面８００と同様のプロフィール登録画面をユーザの端末に送信する。プロフィール登録画面は、図示しない新規入力画面から遷移する。編集画面を受信したユーザは、自己紹介文等を入力および選択し、編集画面中の「確認」ボタン８２１をクリックする。そうすると、ユーザは、プロフィールの確認画面を受信する。入力内容に変更がない場合、ユーザは確認画面中の「登録」ボタン８７１をクリックする。その後、サーバ１３０は、入力した内容をユーザ・データベース１３１のプロフィールに記憶する。ユーザが確認画面中の「修正」ボタン８７２をクリックすると、ユーザ・データベース１３１に登録しないで、プロフィール登録画面に戻る。
【００２８】
（３−３．アバターの選択）
図６に戻り、アバター表示欄６１３には、そのユーザのアバター（キャラクター画像）を表示する。本実施形態では、ジャンル（性別やタイプ、季節など）に応じてアバターをシステムであらかじめ用意し、ユーザはその中から好みのものを選ぶ。
「アバターを変更する」リンク６１４をクリックすると、アバターのジャンルを選択するためのアバタージャンル選択画面に遷移する。
図９（ａ）は、アバタージャンル選択画面の例である。アバタージャンル選択画面９００において、性別選択欄９０１は、性別を選択するリストボックスである。ここには、プロフィール編集時に入力した性別をデフォルトでセットしてもよい。タイプ選択欄９０２は、タイプ（服装や髪型などのイメージ）を選択するリストボックスである。シーズン選択欄９０３は、季節を選択するリストボックスである、なお、ジャンルは上述に限らず、システムで自由に決めてよい。
【００２９】
ジャンルを選択して「この条件で探す」ボタン９０４をクリックすると、条件に合致するアバターの一覧を表示したアバター選択画面に遷移する。
図９（ｂ）は、アバター選択画面の例である。アバター選択画面９２０において、アバター一覧表示欄９２１には、条件に合致するアバターの画像を一覧表示する。上述のデザインと同様に、デザインの中にはポイントで購入するものも用意する。その場合には、購入に必要なポイント数も表示する。「戻る」９２２をクリックすると、アバタージャンル選択画面９００に戻る。
アバターの画像をクリックして選択すると、図９（ｃ）に示すアバター確認画面９４０に遷移する。アバター表示欄９４１には、選択したアバターの画像を表示する。「このアバターで登録」ボタン９４２をクリックすると、そのアバターを選択した旨をユーザ・データベース１３１のプロフィールに記憶する。「別のアバターを探す（戻る）」９４３をクリックすると、ユーザ・データベース１３１に登録しないで、アバター選択画面９２０に戻る。
【００３０】
（３−４．友達の編集）
図６に戻り、オク友一覧表示欄６２１には、そのユーザの友達（ユーザ・データベース１３１の友達情報に登録したユーザ）を、ユーザ・データベース１３１から読み出して一覧表示する。一覧にはあらかじめ定めた数（図６では５人）の友達を表示し、「他のオク友」６２２をクリックすると一覧の続きを表示する。
「編集する」６２３をクリックすると、登録済みの友達を編集（削除）したり、新たに友達を検索したりするためのオク友編集画面に遷移する。
図１０（ａ）は、オク友編集画面の例である。オク友編集画面１０００において、オク友候補検索条件入力欄１００１は、ユーザ・データベース１３１やオークション・データベース１３３から友達または友達候補となるユーザを検索するための検索条件を選択するリストボックスであるが、後述の＜６．コミュニティ形成＞で詳しく説明する。オク友一覧表示欄１００３には、そのユーザと友達登録しているユーザのユーザ名を、ユーザ・データベース１３１から読み出して一覧表示する。ユーザ名の右の「削除」１００４をクリックすると、そのユーザを、ユーザ・データベース１３１の友達情報から削除する。「戻る」１００５をクリックすると、プロフィール管理画面６００に戻る。
なお、他のユーザと友達になるまでの処理（友達申込・登録申込等）については、後述の＜６．コミュニティ形成＞で詳しく説明する。
【００３１】
（３−５．友達候補の編集）
図６に戻り、気になるユーザ一覧表示欄６２６には、そのユーザの友達候補をユーザ・データベース１３１から読み出して、ユーザ名を一覧表示する。一覧にはあらかじめ定めた数（図６では３人）の友達候補を表示し、「他の気になるユーザ」６２７をクリックすると、一覧の続きを表示する。
「編集する」６２８をクリックすると、友達候補を編集（削除）するための気になるユーザ編集画面に遷移する。図１１は、気になるユーザ編集画面の例である。
気になるユーザ編集画面１１００において、気になるユーザ一覧表示欄１１０１には、そのユーザの友達候補をユーザ・データベース１３１から読み出して、ユーザ名を一覧表示する。「削除」リンク１１０２をクリックすると、そのユーザをユーザ・データベース１３１の友達候補情報から削除する。「戻る」１１０３をクリックすると図６のプロフィール編集画面６００に遷移する。また、気になるユーザごとにチェックボックスを設けておき、チェックしたユーザを一括削除できるようにしてもよく、全てのユーザを削除できるようにしてもよい。
なお、友達候補のユーザ・データベース１３１への登録については、後述の＜６．コミュニティ形成＞で詳しく説明する。
【００３２】
（３−６．オークション情報の公開設定）
図６に戻り、入札中アイテム一覧表示欄６３１には、そのユーザがオークションで現在入札している商品の一覧を、オークション・データベース１３３から読み出して表示する。落札アイテム一覧表示欄６３６には、そのユーザがオークションで落札した商品の一覧をオークション・データベース１３３から読み出して表示する。一覧にはあらかじめ定めた数（図６では３件）の商品を表示し、「他の入札中アイテム」６３２，「他の落札アイテム」６３７をクリックすると一覧の続きを表示する。
ほしいものアイテム一覧表示欄６４１には、そのユーザが欲しい商品（本実施形態においては、オークションで購入したい商品）の一覧を、ユーザ・データベース１３１から読み出して表示している。「編集する」６４２をクリックすると、ユーザが欲しい商品を登録・編集するためのほしいものアイテム編集画面に遷移する。
図１３（ａ）は、ほしいものアイテム編集画面の例である。ほしいものアイテム編集画面１３００において、ほしいものアイテム入力欄１３０１は、ユーザが欲しい商品を入力するテキストボックスである。入力して「確認」ボタン１３０２をクリックすると、図１３（ｂ）に示すほしいものリスト確認画面１３５０に遷移する。ほしいものアイテム表示欄１３５１には、入力した内容を表示する。「登録」ボタン１３５２をクリックすると、入力内容をユーザ・データベース１３１のプロフィールに記憶する。「修正」ボタン１３５３をクリックすると、ユーザ・データベース１３１に記憶しないで、図１３（ａ）のほしいものアイテム編集画面１３００に戻る。
【００３３】
また、ユーザは、上述の入札中アイテム、落札アイテム、ほしいものアイテムを、他のユーザに公開するか非公開とするかを決めることができる。「公開設定する」６３３，６３８，６４３をクリックすると、図１２に示す取引アイテム公開設定画面に遷移する。
取引アイテム公開設定画面１２００において、入札中アイテム公開設定リストボックス１２０１，落札アイテム公開設定リストボックス１２０２，ほしいものアイテム公開設定リストボックス１２０３には、「全体に公開」「オク友に公開」「非公開」の選択肢を用意している。なお、この選択肢は一例である。
ユーザが各リストボックスから選択して「完了」ボタン１２０４をクリックすると、設定内容をユーザ・データベース１３１のプロフィールに記憶する。
【００３４】
（３−７．お気に入りワードの登録）
図６に戻り、お気に入りワード一覧表示欄６１６には、そのユーザが登録しているお気に入りワードを一覧表示する。なお、本実施形態では、ユーザは１０件までお気に入りワードを登録できるものとするが、件数はシステムで自由に決めてよい。
「変更する」６１７をクリックすると、お気に入りワードを登録・編集できるお気に入りワード編集画面に遷移する。図１４（ａ）は、お気に入りワード編集画面の例である。お気に入りワード編集画面１４００において、キーワード入力欄１４０１は、お気に入りワードに登録したいキーワードを変更入力するテキストボックスである。
【００３５】
それぞれのテキストボックスには入力済みのキーワードが表示される。変更入力の場合、テキストボックスにキーワードを入力して「修正完了」ボタン１４０２をクリックする。サーバ１３０は、修正完了後のキーワード群をユーザ・データベース１３１に記憶する。
キーワードが１０件未満で、キーワードを追加したい場合は、ブランクのテキストボックスにキーワードを入力する。その後、「修正完了」ボタン１４０２をクリックする。サーバ１３０は、追加完了後のキーワード群をユーザ・データベース１３１に記憶する。
キーワードを削除したい場合は、入力済のキーワードのうち削除したいキーワードが表示されているテキストボックスを空欄にして「修正完了」ボタン１４０２をクリックする。サーバ１３０は、削除されたキーワード群をユーザ・データベース１３１から削除する。
新規なキーワードを入力して「修正完了」ボタン１４０２をクリックした場合、図１４（ｂ）のお気に入りワード確認画面１４１０に遷移する。新規なキーワードのみ、例えば「コーチ」を確認画面に表示する。ユーザは新規なキーワードを確認した後、「戻る」ボタンをクリックすると、図１４（ａ）のお気に入りワード編集画面１４００に戻る。
お気に入りワード編集画面１４００において、「全て削除」ボタン１４０３をクリックすると、全ワード削除確認画面（図示せず）に遷移し、その画面で確認処理を行うと全てのキーワードがリセットされる。また、「戻る」ボタン１４０４をクリックすると、図６のプロフィール管理画面６００に戻る。
【００３６】
お気に入りワードを新規に作成する場合、図１４（ｃ）に示されるお気に入りワード登録画面１４２０をユーザ端末１１０に送信する。お気に入り登録画面は、プロフィール登録画面と同様に図示しない新規入力画面から遷移する。また、お気に入り登録画面は、プロフィール登録画面から遷移するようにしてもよい。
お気に入りワード登録画面１４２０を受信したユーザは、テキストボックス１４２１に興味あるキーワードを入力する。登録画面中の「次へ」ボタン１４２２をクリックすると、ユーザは図１４（ｄ）のお気に入りワード確認画面１４３０を受信する。このとき、サーバ１３０は、新規入力したキーワードをお気に入りワードに登録しているユーザを、ユーザ・データベースから検索して、ユーザ数をお気に入りワード確認画面１４３０に表示する。また、サーバ１３０は、新規入力したキーワードに基づいてオークション・データベース１３３に登録している商品を検索して、商品数をお気に入りワード確認画面１４３０に表示する。「戻る」１４３１をクリックすると、図１４（ｃ）のお気に入りワード登録画面１４２０に戻る。入力内容に変更がない場合、ユーザは確認画面中の「このワードを登録」ボタン１４３２をクリックする。その後、サーバ１３０は、入力した内容をユーザ・データベース１３１に記憶する。また、サーバ１３０は、ユーザ端末１１０に図１４（ｅ）のお気に入りワード登録完了画面１４４０を送信する。この登録完了画面１４４０には、登録された新規キーワードを表示する。
「お気に入りキーワードの登録を続ける」ボタン１４４１をクリックすると、サーバ１３０は図１４（ｃ）のお気に入りワード登録画面１４２０をユーザ端末１１０に送信する。ユーザは１０件までのキーワードについて入力を繰り返す。「お気に入りキーワードの登録を終える」ボタン１４４２をクリックすると、キーワードの新規入力が完了する。
【００３７】
このように、ユーザ・データベース１３１にユーザの好みを示すお気に入りワードを登録しているため、お気に入りワードを検索条件としてユーザを検索して、自分と好みの近いユーザをより効率的に見つけることができる。また、自分と好みの近いユーザから効率的に探してもらうことができる。
上記の例では、同じお気に入りキーワードを登録したユーザを検索することとしたが、同一キーワードで複数の意味を持つ場合には検索するユーザの望まない結果も含まれることになる。このため、お気に入りキーワードとして「マウス」を登録する際、そのキーワードが属するカテゴリ（例えば「動物」と「コンピュータ」）を表示し選択させるようにする。検索するユーザ側も検索条件にカテゴリを加えることで、より効率的な検索とすることが可能となる。
【００３８】
（３−８．一言日記の記入）
一言日記の記入は、図４のプロフィール表示画面（自分から見える画面）の「一言日記」４０８をクリックして遷移する図１５（ａ）〜（ｅ）の各画面にて行なう。
プロフィール表示画面４００の「一言日記」４０８をクリックすると、図１５（ａ）に示す一言日記メニュー画面に遷移する。一言日記メニュー画面１５００において、「新しい日記を書く」１５０１をクリックすると、図１５（ｂ）に示す一言日記文章作成画面に遷移する。
本実施形態では、ユーザが記入できる一言日記の件数を１日１件とする。したがって、本日の日記が記入済みの場合に「新しい日記を書く」１５０１をクリックすると、図１５（ｅ）に示す一言日記エラー画面に遷移する。一言日記エラー画面１５８０には、エラーメッセージ表示欄１５８１に本日既に記入がある旨のエラーメッセージを表示する。「戻る」ボタン１５８２をクリックすると一言日記メニュー画面１５００に戻る。
【００３９】
図１５（ｂ）の一言日記文章作成画面１５２０において、一言日記入力欄１５２１は、一言日記を記入するためのテキストボックスである。一言日記入力欄１５２１に記入して「確認」ボタン１５２２をクリックすると、図１５（ｄ）に示す一言日記確認画面に遷移する。また、「戻る」１５２３をクリックすると図１５（ａ）の一言日記メニュー画面に戻る。「トップへ」１５２４をクリックすると、図４のプロフィール表示画面（自分から見える画面）に戻る。
一言日記確認画面１５６０において、一言日記表示欄１５６１には、記入した一言日記を表示する。この内容でよければ「登録」１５６２ボタンをクリックすると、ユーザ・データベース１３１の一言日記に、一言日記と登録日時を記憶する。修正したい場合には「修正」１５６３をクリックすると、ユーザ・データベース１３１に登録しないで、図１５（ｃ）に示す一言日記修正画面に遷移する。
一言日記修正画面１５４０において、一言日記修正欄１５４１は一言日記を入力するためのテキストボックスであり、先に記入した一言日記が入力されている。ここで一言日記を修正して「確認」ボタン１５４２をクリックすると、上述の図１５（ｄ）の一言日記確認画面１５６０に遷移する。また、「戻る」１５４３をクリックすると図１５（ａ）の一言日記メニュー画面に戻る。「トップへ」１５４４をクリックすると、図４のプロフィール表示画面（自分から見える画面）に戻る。
【００４０】
図１５（ａ）に戻り、一言日記一覧表示欄１５０２には、既に登録した一言日記を、ユーザ・データベース１３１から読み出して、新しい順に一覧表示する。表示されている一言日記を修正するには、「編集」１５０３をクリックする。「編集」１５０３をクリックすると、上述の図１５（ｃ）の一言日記修正画面１５４０に遷移する。
「戻る」１５０４をクリックすると図４のプロフィール表示画面（自分から見える画面）に戻る。「トップへ」１５０５をクリックすると、図３のトップ画面３００に戻る。
【００４１】
＜４．プロフィール閲覧＞
上述の＜３．プロフィール登録＞で説明したように、ユーザは、自分のプロフィールやお気に入りワード、一言日記等を登録・編集する。また、友達や友達候補を編集する。これらの内容は、ユーザ・データベース１３１に記憶され、他のユーザに公開される。なお、本実施形態では友達候補は公開しない。
ユーザは、図４のプロフィール表示画面（自分から見える画面）で自分のプロフィールを閲覧する。また、他のユーザのプロフィールは、図５のプロフィール表示画面（他人から見える画面）のように表示される。
【００４２】
図４のプロフィール表示画面４００（自分から見える画面）において、ユーザ名表示欄４０１には、ユーザ名をユーザ・データベース１３１から読み出して表示する。
「オク友依頼が届いています」４０６をクリックすると、図２６（ａ）に示す受信メール（登録申し込み）画面に遷移して、自分への友達申込を閲覧できるが、後述の＜６．コミュニティ形成＞で詳しく説明する。
また、「メール」４０７をクリックすると、図２５のオク友メールトップ画面に遷移して、友達とメール送受信を行なうことができるが、後述の＜７．メール送受信＞で詳しく説明する。
「一言日記」４０８をクリックすると、上述の＜３．プロフィール登録＞で説明したように、図１５（ａ）に示す一言日記メニュー画面に遷移し、ユーザが一言日記を記入することができる。
【００４３】
あなたのオク友表示欄４１１には、ユーザ・データベース１３１を参照して、オク友として登録したユーザの人数を表示する。人数をクリックすると、図１９に示すオク友一覧画面に遷移する。
図１９のオク友一覧画面１９００において、ユーザ名表示欄１９０１には、そのユーザのユーザ名を表示する。オク友一覧表示欄１９０２には、ユーザ・データベース１３１の友達情報を参照して、友達登録されているユーザのユーザ名を表示する。ユーザ名をクリックすると、そのユーザのプロフィール表示画面（図５）に遷移する。「戻る」１９０３をクリックすると、プロフィール表示画面４００に戻る。
今まで訪れた人数表示欄４１２には、ユーザ・データベース１３１のアクセス情報を参照して、今までこのプロフィール画面にアクセスしたユーザの人数を表示する。
あなたを気にしている人数表示欄４１３には、ユーザ・データベース１３１の友達候補情報を参照して、そのユーザを友達候補として登録しているユーザの人数を表示する。
【００４４】
現在のオク友ポイント表示欄４１６には、ユーザ・データベース１３１のポイント情報を参照して、そのユーザが取得しているポイント数を表示する。なお、ポイントについては後述の＜８．ポイント利用＞で説明する。
最新一言日記表示欄４２１には、ユーザ・データベース１３１から最新の一言日記を読み出して表示する。「今までの一言日記」４２２をクリックすると、図１６に示す一言日記一覧画面に遷移する。
図１６の一言日記一覧画面１６００において、ユーザ名表示欄１６０１には、そのユーザのユーザ名を表示する。一言日記一覧表示欄１６０２には、ユーザ・データベース１３１から一言日記を読み出して新しい順に一覧表示する。「戻る」１６０３をクリックすると、プロフィール表示画面４００に戻る。
【００４５】
デザイン表示欄４２３には、上述の（３−１．デザインの選択）で選択したデザインを表示する。アバター表示欄４２４には、上述の（３−３．アバターの選択）で選択したアバターを表示する。
「プロフィール」４２５をクリックすると、図１７に示すプロフィール画面に遷移する。図１７のプロフィール画面１７００において、ユーザ名表示欄１７０１には、そのユーザのユーザ名を表示する。自己紹介表示欄１７０２，在住〜嫌いなもの表示欄１７０３には、上述の（３−２．プロフィールの登録）で登録されたものを、ユーザ・データベース１３１のプロフィールから読み出して表示する。出品アイテム表示欄１７０４には、そのユーザが現在オークションに出品している商品の情報を、オークション・データベース１３３から読み出して表示する。ここで表示するのは最大２件とし、残りの商品は「他○（件数）アイテム出品中」１７０５をクリックすると表示する。
「プロフィールページへ」１７０６，「戻る」１７０７をクリックすると、プロフィール表示画面４００に戻る。
【００４６】
お気に入りワード一覧表示欄４２６には、上述の（３−７．お気に入りワードの登録）で登録したＮ件のお気に入りワードを、ユーザ・データベース１３１から読み出して一覧表示する。お気に入りワードは１０件まで登録可能であるが、本実施例においてお気に入りワード一覧表示欄４２６には５件を表示する。登録ワードが５件未満の場合は、全件のワードを表示する。お気に入りワード一覧表示欄４２６においていずれかのお気に入りワードをクリックすると、お気に入りワード商品検索画面に遷移する。お気に入りワード商品検索画面については、図２２を参照して後で説明する。
「すべて見る」４２７をクリックすると、図１８に示すお気に入りワード表示画面１８００に遷移する。お気に入りワード表示画面１８００において、いずれかのお気に入りワード１８０１をクリックすると、お気に入りワード商品検索画面に遷移する。お気に入りワード商品検索画面については、図２２を参照して後で説明する。「お気に入りワードの変更」ボタン１８０２をクリックすると、図１４（ａ）に示すお気に入りワード編集画面１４００に遷移する。「戻る」１８０４をクリックすると、プロフィール表示画面４００に戻る。
また、「ワード一致ユーザ検索」４２８をクリックすると、お気に入りワードが一致するユーザを検索する。ユーザの検索については、後述の＜５．ユーザ検索＞で詳しく説明する。
【００４７】
オク友一覧表示欄４３１には、ユーザ・データベース１３１の友達情報を参照して、友達登録されているユーザのユーザ名と最新の一言日記を一覧表示する。ユーザ名をクリックすると、そのユーザのプロフィール表示画面（図５）に遷移する。オク友一覧表示欄４３１には友達を５件まで表示し、「他のオク友」４３２をクリックすると、上述で説明した図１９のオク友一覧画面１９００に遷移する。
【００４８】
図４に戻り、気になるユーザ一覧表示欄４３６には、ユーザ・データベース１３１の友達候補情報を参照して、友達候補として登録されているユーザのユーザ名を表示する。ユーザ名をクリックすると、そのユーザのプロフィール表示画面（図５）に遷移する。気になるユーザ一覧表示欄４３６には友達候補のユーザを５件まで表示し、「他の気になるユーザ」４３７をクリックすると、図２０に示す気になるユーザ一覧画面に遷移する。
気になるユーザ一覧画面２０００において、ユーザ名表示欄２００１には、そのユーザのユーザ名を表示する。気になるユーザ一覧表示欄２００２には、ユーザ・データベース１３１の友達候補情報を参照して、友達候補として登録されているユーザのユーザ名を表示する。ユーザ名をクリックすると、そのユーザのプロフィール表示画面（図５）に遷移する。「戻る」２００３をクリックすると、プロフィール表示画面４００に戻る。
【００４９】
図４に戻り、「ユーザ検索」４３８をクリックすると、様々な条件でユーザを検索することができるユーザ検索画面（図２１（ａ））に遷移する。ユーザ検索画面については、後述の＜５．ユーザ検索＞で説明する。
【００５０】
図４に戻り、出品アイテム一覧表示欄４４１には、そのユーザが現在オークションに出品している商品の情報（商品の写真・入札件数・現在の価格・残り時間等）を、オークション・データベース１３３から読み出して表示する。「他○（件数）アイテム出品中」４４２をクリックすると、一覧の続きを表示する。
入札中アイテム一覧表示欄４４６には、そのユーザが現在入札している商品の商品名を、オークション・データベース１３３から読み出して表示する。商品名をクリックすると、そのオークションの詳細を表示した画面に遷移する。「他の入札中アイテム」４４７をクリックすると、一覧の続きを表示する。
落札アイテム一覧表示欄４５１には、そのユーザが落札した商品の商品名を、オークション・データベース１３３から読み出して表示する。商品名をクリックすると、そのオークションの詳細を表示した画面に遷移する。「他の落札アイテム」４５２をクリックすると、一覧の続きを表示する。
ほしいものアイテム表示欄４６１には、上述の図１３（ａ）のほしいものアイテム編集画面で登録したものを、ユーザ・データベース１３１から読み出して表示する。
「プロフィールページの設定」４６６は、上述の＜３．プロフィール登録＞で説明したように、図６のプロフィール管理画面に遷移するリンクである。
「戻る」リンク４７１をクリックすると、図３のトップ画面に戻る。
【００５１】
また、図５のプロフィール表示画面５００（他人から見える画面）において、ユーザ名表示欄５０１は、図４のユーザ名表示欄４０１と同様である。
「メールを送る」５０２をクリックすると、図２７（ｂ）に示す送信メール選択画面に遷移して、そのユーザにメールを送信することができる。なお、メールの送信については、後述の＜６．メール送受信＞で説明する。なお、本実施形態では、例えば、既に友達登録済みのユーザである場合のみ、プロフィール表示画面５００に「メールを送る」５０２を表示する（すなわち、友達のみにメールを送信できる）。なお、メールの送受信を許可する対象は、これに限られない。
「オク友依頼する」５０３をクリックすると、そのユーザに友達申込をする。なお、このユーザが既に友達登録済みのユーザである場合には、「オク友依頼する」５０３は表示しない。また、「気になるユーザに登録する」５０６をクリックすると、そのユーザを友達候補としてユーザ・データベース１３１の友達候補情報に記憶する。
友達申込、および友達候補の登録については、後述の＜６．コミュニティ形成＞で説明する。
【００５２】
この人のオク友人数表示欄５１１，今まで訪れた人数表示欄５１２，この人を気にしている人数表示欄５１３は、図４のプロフィール表示画面４００と同様である。
最新一言日記表示欄５２１，「今までの一言日記」５２２，デザイン表示欄５２３，アバター表示欄５２４，「プロフィール」５２５も、図４のプロフィール表示画面４００と同様である。
お気に入りワード一覧表示欄５２６も、図４のプロフィール表示画面４００と同様である。「他のワード」５２９をクリックすると、図１８に示すお気に入りワード表示画面１８００に遷移する。最終ログイン日時表示欄５２８には、ユーザ・データベース１３１の最終ログイン日時を参照して、そのユーザがサーバ１３０に最近ログインしたおおよその時刻を表示する。例えば、現在からさかのぼって５分以内は「５分以内」と表示し、１０分以内〜５０分以内は１０分刻みで表示し、１時間以内〜２３時間以内は１時間刻みで表示し、１日以内〜３日以内では１日刻みで表示し、３日以上であれば「３日以上」と表示する。これにより、他のユーザは、このユーザが最近本実施形態のコミュニティ形成システムや、オークション・システムにアクセスしたかを知ることができる。
オク友一覧表示欄５３１，「他のオク友」５３２も、図４のプロフィール表示画面４００と同様である。
なお、図５のプロフィール表示画面（他人から見えるページ）では、友達候補（気になるユーザ）の一覧は表示しない。すなわち、友達候補は他のユーザには公開しない。
【００５３】
また、出品アイテム一覧表示欄５４１，「他○（件数）アイテム出品中」リンク５４２，入札中アイテム一覧表示欄５４６，「他の入札中アイテム」リンク５４７，落札アイテム一覧表示欄５５１，「他の落札アイテム」リンク５５２，ほしいものアイテム表示欄５６１についても、図４のプロフィール表示画面４００と同様であるが、上述の図１２の取引アイテム公開設定画面１２００で設定した公開の条件に従って表示する。
「戻る」リンク５７１も、図４のプロフィール表示画面４００と同様である。
【００５４】
＜５．ユーザ検索＞
本実施形態では、各ユーザのプロフィール等がユーザ・データベース１３１に登録されている。このため、ユーザは、プロフィールの項目等を検索条件として他のユーザを検索して、そのユーザのプロフィールや一言日記、オークション出品商品などを閲覧できる。特に本実施形態においては、各ユーザがお気に入りワード（例えば、好きなブランド、アーティスト、キャラクターなど）を登録しているので、自分と好みの近い（友達に適した）ユーザを探しやすい。また、そのようなユーザから探してもらいやすい。ユーザの検索は、ユーザ検索処理１３５で行なう。
【００５５】
（５−１．プロフィール等による検索）
上述の図４のプロフィール表示画面（自分から見える画面）４００において、「ユーザ検索」４３８をクリックすると、図２１（ａ）に示すユーザ検索画面に遷移する。
ユーザ検索画面２１００において、「オク友候補を探す」のテキストボックス２１０１をプルダウンして「検索」ボタン２１０２をクリックすると、条件に合致したユーザをユーザ・データベース１３１から検索して、図２１（ｂ）に示すユーザ検索結果画面に遷移する。
ユーザ検索結果画面２１５０において、ユーザ一覧表示欄２１５１には、検索結果のユーザのユーザ名を一覧表示する。ユーザ名をクリックすると、そのユーザのプロフィール表示画面（図５）を表示する。「戻る」２１５２をクリックすると、図２１（ａ）のユーザ検索画面２１００に戻る。
なお、図２１（ａ）のユーザ検索画面２１００の「オク友候補を探す」のテキストボックス２１０１にてプルダウンして選択できる項目は、「お気に入りワードが３つ以上一致するユーザ」「過去に入札した」「過去に入札された」「過去に落札した」「過去に落札された」であり、これらの選択枝を指定した後に「検索」ボタン２１０２をクリックする。
キーワード入力欄２１０３に検索条件のワードを入力して「検索」ボタン２１０４をクリックすると、そのワードをお気に入りワードに含むユーザをユーザ・データベース１３１から検索して、図２１（ｂ）に示すユーザ検索結果画面に遷移する。
また、ユーザ名入力欄２１０５に検索条件のワードを入力して「検索」ボタン２１０６をクリックすると、そのワードをユーザ名に含むユーザをユーザ・データベース１３１から検索して、図２１（ｂ）に示すユーザ検索結果画面に遷移する。
また、プロフィール入力欄２１０７の各項目（図８（ａ）のプロフィール編集画面で入力された在住、性別、生まれた年、生まれた月日、結婚、血液型）に検索条件のワードを入力して「検索」ボタン２１０８をクリックすると、そのワードをその項目に含むユーザをユーザ・データベース１３１から検索して、図２１（ｂ）に示すユーザ検索結果画面に遷移する。プロフィール検索入力欄２１０７への検索条件の入力は、１つの項目でもよいし、複数の項目に入力してもよい。
【００５６】
（５−２．お気に入りワードの一致による検索）
また、自分と同じお気に入りワードを登録しているユーザを検索することができる。
図４のプロフィール表示画面（自分から見える画面）４００において、お気に入りワード一覧表示欄４２６に表示しているいずれかのお気に入りワードをクリックすると、図２２（ａ）に示すお気に入りワード商品検索画面に遷移する。
お気に入りワード商品検索画面２２００において、商品一覧表示欄２２０２には、クリックされた商品の出品情報をオークション・データベース１３３から読み出して表示する。これにより、ユーザは、お気に入りワードに対応する商品を簡単に探すことができる。「戻る」ボタン２２０３をクリックすると、プロフィール表示画面４００に戻る。また、このとき、ユーザ・データベース１３１を参照し、お気に入りワードに加えてプロフィールの年齢などの属性を利用して、ユーザごとに属性に基づいたバナー広告を表示するようにしてもよい。
お気に入りワード商品検索画面２２００において、「このワードのユーザ検索」ボタン２２０１をクリックすると、図２２（ｂ）に示すお気に入りワードユーザ検索画面２２１０に遷移する。お気に入りワードユーザ検索画面２２１０において、図４のプロフィール表示画面４００でクリックして図２２（ａ）で表示されたお気に入りワードを登録しているユーザを、ユーザ・データベース１３１から検索して表示する。ユーザ名２２１１をクリックすると、そのユーザのプロフィール表示画面（図５）に遷移する。これにより、ユーザは、自分と同じお気に入りワードを登録しているユーザを簡単に探すことができる。「戻る」ボタン２２１２をクリックすると、お気に入りワード商品検索画面２２００に戻る。
以上のように、ユーザは自分の好みの商品を探しやく、その上、自分の好みの商品を出品している、すなわち自分と好みが近い可能性が高いユーザを探すこともできる。
【００５７】
上述の図２２（ａ）のお気に入りワード商品検索画面２２００，および図２２（ｂ）のお気に入りワードユーザ検索画面２２１０においては、選択（クリック）した１つのお気に入りワードについて、このワードに関連するオークション出品商品や同じお気に入りワードを登録しているユーザを簡単に探すことができる。
さらに、図４のプロフィール表示画面（自分から見える画面）４００において、「ワード一致ユーザ検索」４２８をクリックすると、複数のお気に入りワードの組み合わせによりユーザを検索できるワード一致ユーザ検索画面に遷移する。
図２２（ｃ）は、ワード一致ユーザ検索画面の例である。ワード一致ユーザ検索画面２２５０において、お気に入りワード選択欄２２５１には、サーバ１３０のユーザ・データベース１３１から読み出した自分自身のお気に入りワードを一覧表示している。各ワードの左側にあるチェックボックスにチェック（チェックは１つでも、複数でもよい）して、「検索する」ボタン２２５２をクリックすると、チェックされたお気に入りワードを全てお気に入りワードに登録しているユーザをユーザ・データベース１３１から読み出して、図２２（ｄ）のユーザ検索結果画面２２６０に遷移する。ユーザ検索結果画面２２６０には、選択した商品および検索結果のユーザ名２２６１を一覧表示する。
【００５８】
これにより、自分とお気に入りワードが複数共通するユーザ、すなわち自分と好みがより近いユーザを簡単に探すことができるとともに、自分とお気に入りワードが複数共通するユーザ、すなわち自分と好みがより近いユーザから簡単に探してもらえることができる。オークションにおいて属性または趣味が近似するユーザ同士がコミュニティを形成することにより、オークションの取引が活性化する。例えば、一人のユーザが出品者側である場合、コミュニティを形成した他のユーザに出品情報をメールやＷｅｂ等を利用して連絡することにより出品した商品が落札される機会が増えてオークションが活性化する。また、例えば、一人のユーザが落札者側である場合、コミュニティを形成した他のユーザの出品情報をメールやＷｅｂ等を利用して早期に取得することができ、落札できる機会が増えてオークションが活性化する。
また、予め登録した自分自身のお気に入りワードを組み合わせて、他のユーザの検索を行うことにより、検索する時の自分自身の状況・環境・状態に適合する属性を持つ旬のユーザを検索することができる。
さらに、携帯電話のように入力が煩雑な端末であっても、予め自分自身で登録したキーワードをそのまま利用できるので、コミュニティを形成するユーザを検索する操作が簡単である。
ユーザ検索結果画面２２６０において、「戻る」２２６２をクリックすると、図２２（ｃ）のワード一致ユーザ検索画面２２５０に戻る。また、ワード一致ユーザ検索画面２２５０において、「お気に入りワードの変更」２２５３をクリックすると、図１４（ａ）のお気に入りワード編集画面１４００に遷移して、自分のお気に入りワードを編集できる。
【００５９】
また、上述の図６のプロフィール管理画面において「編集する」６２３をクリックすると、図１０（ａ）に示すオク友編集画面に遷移し、お気に入りワードの一致や、オークションの取引実績などにより友達や友達候補となりうるユーザを探すことができる。
図１０（ａ）のオク友編集画面１０００において、オク友候補検索条件入力欄１００１は、ユーザ・データベース１３１やオークション・データベース１３３から友達・友達候補となるユーザを検索するための検索条件を選択するリストボックスである。
検索条件は、友達を探すのに適した条件であるとよい。本実施形態では、図２１（ａ）における検索条件と同じように次の３つを用意する。
（１）お気に入りワードが一致するユーザ
お気に入りワードが一致（本実施形態では３件以上一致）するユーザ。
（２）過去に入札したユーザ
今までにオークションの商品に入札した／入札されたユーザ
（３）過去に取引したユーザ
今までにオークションの商品を落札した／落札されたユーザ
なお、これらの検索条件は一例であり、必要に応じてシステムで自由に決めてよい。
条件を入力して「検索」ボタン１００２をクリックすると、図１０（ｂ）のオク友候補一覧画面に遷移する。ここで、「戻る」１００５をクリックすると図６のプロフィール編集画面６００に遷移する。
オク友候補一覧画面１０５０には、検索結果のユーザのユーザ名をオク友候補一覧表示欄１０５１に一覧表示する。ユーザ名をクリックすると、そのユーザのプロフィール表示画面（図５）に遷移する。
【００６０】
なお、上述の図２２（ａ）のお気に入りワード商品検索画面２２００，および図２２（ｂ）のお気に入りワードユーザ検索画面２２１０は、図５のプロフィール表示画面（他人から見える画面）５００からも同様に利用することができる。
図５のプロフィール表示画面（他人から見える画面）５００において、お気に入りワード一覧表示欄５２６に表示しているお気に入りワードをクリックすると、図２２（ａ）に示すお気に入りワード商品検索画面に遷移して、そのお気に入りワードと同じお気に入りワードを登録しているユーザを探すことができる。また、プロフィール表示画面（他人から見える画面）５００において、「ワード一致ユーザ検索」ボタンを設けて、そのボタンをクリックすると、図２２（ｂ）のワード一致ユーザ検索画面２２５０に遷移して、そのユーザとお気に入りワードが複数共通するユーザを探すことができるようにしてもよい。
従って、例えば、自分と好みが近いユーザについて、さらに、そのユーザと好みが近いユーザを探すことが可能であり、コミュニティの形成に有効である。
【００６１】
＜６．コミュニティ形成＞
ユーザは、友達になりたいユーザを見つけたら友達申込をすることができる。また、気になるが今は友達申込をしないユーザ等については、友達候補として登録することができる。このとき、上述の＜５．ユーザ検索＞で説明したように、本実施形態のコミュニティ形成システムでは、お気に入りワードの一致によりユーザを検索できるので、自分と好みの近いユーザを効率的に探すことができる。
友達登録、および友達候補の登録は、コミュニティ形成処理１３６で行なう。
【００６２】
（６−１．友達登録）
図３４は、友達申込から友達登録までの、サーバ１３０（コミュニティ形成処理１３６）とユーザ端末１１０とのやり取りの流れを示した図である。まず、友達申込元のユーザのユーザ端末１１０から、友達申込がサーバ１３０に送信される（Ｓ３４０１）。
具体的には、図５のプロフィール表示画面（他人から見える画面）５００において、「オク友依頼する」５０３をクリックすると、そのユーザに友達依頼をするためのオク友依頼確認画面に遷移する。図２３（ａ）は、オク友依頼確認画面の例である。オク友依頼確認画面２３００にて、「送信」ボタン２３０１をクリックすると、図２３（ｂ）のオク友依頼完了画面２３５０に遷移する。「戻る」２３０２，および「プロフィールページへ」２３５１をクリックすると、図５のプロフィール表示画面５００に戻る。
【００６３】
友達申込を受信すると、コミュニティ形成処理１３６は、友達申込先のユーザのユーザ端末１１０に、友達申込があった旨を通知する（図３４のＳ３４０２）。
具体的には、例えば、メールボックス１３２にメールを自動送信することにより友達申込があった旨を通知する。本実施形態のメールの送受信はメール送受信処理１３７が行なうが、後述の＜７．メール送受信＞で説明する。
図２６（ａ）は、友達申込があった旨の通知メールを表示した、受信メール（登録申込）表示画面の例である。友達申込先のユーザは、図２６（ａ）の受信メールを閲覧し（図３４のＳ３４０３）、友達登録を希望する場合には、登録申込を行なう（Ｓ３４０４）。友達登録を希望しない場合には、何もしない。
【００６４】
受信メール（登録申込）表示画面２６００において、差出人表示欄２６０１には、友達申込元のユーザのユーザ名と、送信日時（申込日時）を表示する。本文表示欄２６０２には、システムであらかじめ用意している文章を表示する。
「登録」ボタン２６０３をクリックすると、ユーザ・データベース１３１の友達申込元のユーザと友達申込先のユーザの友達情報に、互いを友達として登録する（図３４のＳ３４０５）とともに、図２６（ｂ）に示すオク友登録確認画面２６５０に遷移する。
「一覧に戻る」２６０４をクリックすると、受信メールの一覧を表示した、図２９（ａ）の受信メール一覧表示画面に遷移する。「オク友メールＴｏｐへ」２６０５をクリックすると、図２５に示すオク友メールトップ画面に遷移する。これらのメール画面については、後述の＜７．メール送受信＞で詳しく説明する。
【００６５】
また、本実施形態では、友達申込があると、友達申込先のユーザの図４のプロフィール画面（自分から見える画面）４００に「オク友依頼が届いています」リンク４０６を表示し、クリックすると上述の図２６（ａ）の受信メール（登録申込）画面２６００に遷移するようにする。これにより、友達申込があった旨を、より確実に友達申込先のユーザに知らせることができる。
なお、本実施形態の例では、友達申込があった旨をメールで通知するが、図４のプロフィール表示画面（自分から見える画面）に直接表示する、またはリンク先に画面を用意して表示するなど、他の方法で通知してもよい。
【００６６】
（６−２．友達候補の登録）
図５のプロフィール表示画面（他人から見える画面）５００において、「気になるユーザに登録する」５０６をクリックすると、図２４（ａ）に示す気になるユーザ登録確認画面２４００に遷移する。「確認」ボタン２４０１をクリックすると、そのユーザを友達候補としてユーザ・データベース１３１の友達候補情報に記憶するとともに、図２４（ｂ）に示す気になるユーザ登録完了画面２４５０に遷移する。「戻る」２４０２および「プロフィールページへ」２４５１をクリックすると、図５のプロフィール表示画面５００に戻る。
【００６７】
＜７．メール送受信＞
さらに、本実施形態のコミュニティ形成システムには、友達登録したユーザ同士でメールの送受信を行なうことができる機能を用意する。上述したように、本実施形態では、メールをメールボックス１３２に記憶し、ブラウザ１１２からメールボックス１３２にアクセスして、自分の送受信メールを閲覧したりメールを送信したりできる。これにより、ユーザは互いのメールアドレスを知らなくても、メッセージの交換を行なうことができる。
これらのメールの送信や閲覧等の処理は、メール送受信処理１３７で行なう。
【００６８】
図４のプロフィール表示画面（自分から見える画面）４００において、「メール」４０７をクリックすると、図２５に示すオク友メールトップ画面に遷移する。オク友メールトップ画面２５００において、「オク友メールを送る」２５０１をクリックすると、送信先の友達を選択するための送信ユーザ選択画面に遷移する。
図２７（ａ）は、送信ユーザ選択画面の例である。送信ユーザ選択画面２７００において、オク友選択欄２７０１には、友達登録されているユーザのユーザ名と、送信先を選択するためのラジオボタンを表示する。「他のオク友」２７０２をクリックすると、一覧の続きを表示する。
メールを送信したい友達を選択して、「次へ」２７０３をクリックすると、メールの定型文などを選択する送信メール選択画面に遷移する。
図２７（ｂ）は、送信メール選択画面の例である。送信メール選択画面２７２０において、送信先表示欄２７２１には、送信先のユーザ名を表示する。定型メッセージ選択欄２７２２には、システムであらかじめ用意されている、よく使われる文章（図２７（ｂ）の例では、オークションの出品、落札、あいさつ文など）のタイトルを表示している。定型メッセージを送りたい場合は、希望するタイトルをクリックすると、定型メッセージを表示した、送信メール（定型文）確認画面に遷移する。また、メール本文を自由文としたい場合には、「自由文で送る」２７２３をクリックすると、本文を入力するための自由文メール作成画面に遷移する。
【００６９】
図２７（ｃ）は、送信メール（定型文）確認画面の例である。送信メール（定型文）確認画面２７４０において、送信先表示欄２７４１には、送信先のユーザ名を表示する。本文表示欄２７４２には、選択した定型文を表示する。この内容でよければ、送信を行なう。送信が完了すると、図２７（ｄ）に示す送信完了画面２７６０に遷移する。
また、図２８（ａ）は、自由文メール作成画面の例である。自由文メール作成画面２８００において、本文入力欄２８０１は、メールの本文を入力するためのテキストボックスである。本文を入力して、「確認」ボタン２８０２をクリックすると、図２８（ｂ）に示す送信メール（自由文）確認画面に遷移する。
送信メール（自由文）確認画面２８５０において、送信先表示欄２８５１には、送信先のユーザ名を表示する。本文表示欄２８５２には、入力された本文を表示する。「送信」ボタン２８５３をクリックすると、そのメールを送信して、上述の図２７（ｄ）の送信完了画面２７６０に遷移する。
【００７０】
図２５のオク友メールトップ画面２５００に戻り、「オク友メール受信ボックス」２５０２をクリックすると、友達から受信したメールを閲覧するための受信メール一覧画面に遷移する。
図２９（ａ）は、受信メール一覧画面の例である。受信メール一覧画面２９００において、受信メール一覧表示欄２９０１には、受信したメールの、差出人のユーザ名と送信時刻を一覧表示している。メールを閲覧したいメールのユーザ名をクリックすると、図２９（ｂ）に示す受信メール表示画面に遷移する。
受信メール表示画面２９５０において、差出人表示欄２９５１には、差出人のユーザ名と送信時刻を表示する。本文表示欄２９５２には、メールの本文を表示する。「返信する」２９５３をクリックすると、上述の図２７（ｂ）に示した送信メール選択画面２７２０に遷移する。「一覧に戻る」２９５４をクリックすると、図２９（ａ）の受信メール一覧画面２９００に戻る。
【００７１】
図２５のオク友メールトップ画面２５００に戻り、「オク友メール送信履歴」２５０３をクリックすると、自分が友達に送信したメールを一覧表示した、送信メール一覧画面に遷移する。
図３０（ａ）は、送信メール一覧画面の例である。送信メール一覧画面３０００において、送信メール一覧表示欄３００１には、送信したメールの、送信先のユーザ名と送信時刻を一覧表示している。メールを閲覧したいメールのユーザ名をクリックすると、図３０（ｂ）に示す送信メール表示画面に遷移する。
送信メール表示画面３０５０において、送信先表示欄３０５１には、送信先のユーザ名と送信時刻を表示する。本文表示欄３０５２には、メールの本文を表示する。「一覧に戻る」３０５３をクリックすると、図３０（ａ）の送信メール一覧画面３０００に戻る。
【００７２】
図２５のオク友メールトップ画面２５００に戻り、「メール受信設定」２５０４をクリックすると、メール受信に関する設定を行なうためのメール受信設定画面に遷移する。
図３１は、メール受信設定画面の例である。メール受信設定画面３１００において、受信するオク友メール選択欄３１０１は、本実施形態で受信するメールを選択する選択欄である。
ここでは、例としてオク友申込メール（図２６（ａ）に示した、友達申込の通知メール）、オク友出品お知らせメール（友達がオークション出品を行なった旨を通知するメール）、オク友メッセージメール（友達から受信したメール）について、メールの受信を通知するかを選択することができる。
受信したいメールにチェックを入れて「次へ」３１０３をクリックすると、設定をユーザ・データベース１３１に記憶して、図３１（ｂ）に示すメール受信設定完了画面３１５０に遷移する。
また、通知するオク友メール選択欄３１０２は、本実施形態のメールシステム（ウェブメール）でメールを受信した旨を、従来のメールアドレスに通知するかを選択する選択欄である。ここでは、例としてオク友申込メール（友達申込メール）、オク友出品メール、オク友メッセージメール、オク友バースデー通知（友達の誕生日が近いことを知らせるメール）について、従来のメールアドレス宛に通知するかを選択することができる。
通知したいメールにチェックを入れて「次へ」３１０３をクリックすると、設定をユーザ・データベース１３１に記憶して、図３１（ｂ）に示すメール受信設定完了画面３１５０に遷移する。
【００７３】
図３２（ａ）〜図３２（ｄ）は、従来のメールアドレスに送信される通知メールの例である。なお、これらの通知メールはユーザがユーザ端末１１０で従来使用しているメールソフト等で表示する。
図３２（ａ）は、オク友出品通知メールをユーザ端末１１０の画面に表示した例である。オク友出品通知メール３２００において、ヘッダ３２０１は、メールを受信した日時および通知メールのタイトルである。また、差出人のメールアドレスは、サーバ１３０の自動送信用のアドレスである。
本文３２０２は、メールの本文（自動送信用にあらかじめサーバ１３０に用意されている本文）である。本文には、本実施形態のメール（ウェブメール）を表示するためのＵＲＬも記述されており、ＵＲＬをクリックすると、図２９（ｂ）の受信メール表示画面２９５０を表示する。
【００７４】
図３２(ｂ)は、オク友申込通知メールをユーザ端末１１０の画面に表示した例である。オク友申込通知メール３２２０において、ヘッダ３２２１，本文３２２２は、図３２（ａ）のオク友出品通知メール３２００と同様である。ＵＲＬをクリックすると、図２６（ａ）の受信メール（登録申込）表示画面２６００を表示する。
図３２（ｃ）は、オク友メール受信通知メールをユーザ端末１１０の画面に表示した例である。オク友メール受信通知メール３２４０において、ヘッダ３２４１，本文３２４２は、図３２（ａ）のオク友出品通知メール３２００と同様である。ＵＲＬをクリックすると、図２９（ｂ）の受信メール表示画面２９５０を表示する。
図３２（ｄ）は、オク友バースデー通知メールをユーザ端末１１０の画面に表示した例である。オク友バースデー通知メール３２６０において、ヘッダ３２６１，本文３２６２は、図３２（ａ）のオク友出品通知メール３２００と同様である。ＵＲＬをクリックすると、図２７（ｂ）の送信メール選択画面２７２０を表示する。
【００７５】
＜８．ポイント利用＞
また、本実施形態のコミュニティ形成システムの付加的な機能として、ユーザが、他のサービス等で取得したポイントを、本実施形態のサービスに利用できる機能を用意することもできる。
図４のプロフィール表示画面（自分から見える画面）４００において、現在のオク友ポイント表示欄４１６に表示されたポイント数をクリックすると、図３３（ａ）に示すオク友ポイント管理画面に遷移する。
ポイント管理画面３３００において、ユーザ名表示欄３３０１には、そのユーザ（自分）のユーザ名を表示する。ポイント数表示欄３３０２には、現在取得しているポイント数を表示する。ポイント利用カテゴリ選択欄３３０３は、ポイントを利用する（ポイントで購入する）カテゴリを選択するためのリストボックスである。選択肢には、例えば、メール機能、アバター、デザインテンプレートなどを用意する。また、現在のポイント利用ステータス表示欄３３０５には、現在そのユーザが取得しているポイントで購入できるサービスを一覧表示する。「戻る」３３０６をクリックすると、図４のプロフィール表示画面４００に戻る。
【００７６】
ポイント利用カテゴリ選択欄３３０３でカテゴリを選択して「選択」ボタン３３０４をクリックすると、図３３（ｂ）に示すポイント利用機能選択画面に遷移する。
ポイント利用機能選択画面３３２０において、ユーザ名表示欄３３２１，ポイント数表示欄３３２２は、図３３（ａ）のオク友ポイント管理画面３３００と同様である。ポイント利用機能一覧表示欄３３２３には、上述の図３３（ａ）のポイント利用カテゴリ選択欄３３０３で選択したカテゴリで、そのユーザが購入できるサービスを一覧表示している。また、「戻る」３３２５をクリックすると、図３３（ａ）のポイント管理画面３３００に戻る。
ポイント利用機能一覧表示欄３３２３に表示されているサービスから、購入したいものの右側のチェックボックスにチェックして「利用登録」ボタン３３２４をクリックすると、ユーザ・データベースのポイント情報を更新して、図３３（ｃ）に示すポイント利用機能選択完了画面に遷移する。ポイント利用機能選択完了画面３３４０において、「プロフィールページへ戻る」３３４１をクリックすると、図４のプロフィール画面４００に戻る。
これにより、ユーザは、オークションの取引等で取得したポイントを、本実施形態のコミュニティ形成システムに用意されているサービスの購入に充てることができる。
【図面の簡単な説明】
【００７７】
【図１】本実施形態のコミュニティ形成システムのシステム構成例を示した図である。
【図２】ユーザ・データベースの主要な項目を示した図である。
【図３】本実施形態のコミュニティ形成システムのトップ画面の例である。
【図４】プロフィール表示画面（自分から見える画面）の例である。
【図５】プロフィール表示画面（他人から見える画面）の例である。
【図６】プロフィール管理画面の例である。
【図７】それぞれ、（ａ）プロフィールページデザイン選択画面、（ｂ）プロフィールページデザイン確認画面の例である。
【図８】それぞれ、（ａ）プロフィール編集画面、（ｂ）プロフィール確認画面の例である。
【図９】それぞれ、（ａ）アバタージャンル選択画面、（ｂ）アバター選択画面、（ｃ）アバター確認画面の例である。
【図１０】それぞれ、（ａ）オク友編集画面、（ｂ）オク友候補一覧画面の例である。
【図１１】気になるユーザ編集画面の例である。
【図１２】取引アイテム公開設定画面の例である。
【図１３】それぞれ、（ａ）ほしいものアイテム編集画面、（ｂ）ほしいものアイテム確認画面の例である。
【図１４】それぞれ、（ａ）お気に入りワード編集画面、（ｂ）お気に入りワード確認一覧画面、（ｃ）お気に入りワード新規登録画面、（ｄ）お気に入りワード確認画面，（ｅ）お気に入りワード登録完了画面の例である。
【図１５】それぞれ、（ａ）一言日記メニュー画面、（ｂ）一言日記文章作成画面、（ｃ）一言日記修正画面、（ｄ）一言日記確認画面、（ｅ）一言日記エラー画面の例である。
【図１６】メッセージ一覧画面の例である。
【図１７】プロフィール画面の例である。
【図１８】お気に入りワード表示画面の例である。
【図１９】オク友一覧画面の例である。
【図２０】気になるユーザ一覧画面の例である。
【図２１】それぞれ、（ａ）ユーザ検索画面、（ｂ）ユーザ検索結果画面の例である。
【図２２】それぞれ、（ａ）お気に入りワード商品検索画面、（ｂ）お気に入りワードユーザ検索画面、（ｃ）お気に入りワード一致ユーザ検索画面、（ｄ）ユーザ検索結果表示画面の例である。
【図２３】それぞれ、（ａ）オク友依頼確認画面、（ｂ）オク友依頼完了画面の例である。
【図２４】それぞれ、（ａ）気になるユーザ登録確認画面、（ｂ）気になるユーザ登録完了画面の例である。
【図２５】オク友メールトップ画面の例である。
【図２６】それぞれ、（ａ）受信メール（登録申込）表示画面、（ｂ）オク友登録確認画面の例である。
【図２７】それぞれ、（ａ）送信ユーザ選択画面、（ｂ）送信メール選択画面、（ｃ）送信メール（定型文）確認画面、（ｄ）送信完了画面の例である。
【図２８】それぞれ、（ａ）自由文メール作成画面、（ｂ）送信メール（自由文）確認画面の例である。
【図２９】それぞれ、（ａ）受信メール一覧画面、（ｂ）受信メール表示画面の例である。
【図３０】それぞれ、（ａ）送信メール一覧画面、（ｂ）送信メール表示画面の例である。
【図３１】それぞれ、（ａ）メール受信設定画面、（ｂ）メール受信設定完了画面の例である。
【図３２】それぞれ、（ａ）オク友出品通知メール、（ｂ）オク友申込通知メール、（ｃ）オク友メール受信通知メール、（ｄ）オク友バースデー通知メールの例である。
【図３３】それぞれ、（ａ）ポイント管理画面、（ｂ）ポイント利用機能選択画面、（ｃ）ポイント利用機能選択完了画面の例である。
【図３４】友達申込から友達登録までの、サーバとユーザ端末とのやり取りの流れを示した図である。
【符号の説明】
【００７８】
１１０      ユーザ端末
１３０      サーバ
１３１      ユーザ・データベース
１３２      メールボックス
１３３      オークション・データベース
１３４      プロフィール登録処理
１３５      ユーザ検索処理
１３６      コミュニティ形成処理
１３７      メール送受信処理
１３８      オークション処理
３００      トップ画面
４００      プロフィール表示画面（自分から見える画面）
４２５      「プロフィール」リンク
４２６      お気に入りワード一覧表示欄
４２８      「ワード一致ユーザ検索」リンク
４３１      オク友一覧表示欄
４３６      気になるユーザ一覧表示欄
５００      プロフィール表示画面（他人から見える画面）
５２５      「プロフィール」リンク
５２６      お気に入りワード一覧表示欄
５２７      「ワード一致ユーザ検索」リンク
５３１      オク友一覧表示欄
６００      プロフィール管理画面
６１６      お気に入りワード一覧表示欄
６２１      オク友一覧表示欄
６２６      気になるユーザ一覧表示欄
７００      プロフィールページデザイン選択画面
８００      プロフィール編集画面
９００      アバタージャンル選択画面
１０００    オク友編集画面
１００１    オク友候補検索条件入力欄
１００２    「検索」ボタン
１００３    オク友一覧表示欄
１０５０    オク友候補一覧画面
１１００    気になるユーザ編集画面
１４００    お気に入りワード編集画面
１４０１    キーワード入力欄
１４１０    お気に入りワード確認画面
１４２０    お気に入りワード登録画面
１４２１    ワード登録テキストボックス
１４３０    お気に入りワード確認画面
１４４０    お気に入りワード登録完了画面
１５００    一言日記メニュー画面
１６００    一言日記一覧画面
１６０２    一言日記一覧表示欄
１８００    気に入りワード表示画面
１９００    オク友一覧画面
１９０２    オク友一覧表示欄
２０００    気になるユーザ一覧画面
２００２    気になるユーザ一覧表示欄
２１００    ユーザ検索画面
２１０１    オク友入力欄
２１０３    お気に入りワード入力欄
２１０５    ユーザ名入力欄
２１５０    ユーザ検索結果画面
２１５１    ユーザ一覧表示欄
２２００    お気に入りワード商品検索画面
２２０２    検索商品欄
２２１０    お気に入りワードユーザ検索画面
２２１１    ユーザ名表示欄
２２５０    ワード一致ユーザ検索画面
２２５１    お気に入りワード選択欄
２２６０    ユーザ検索結果画面
２２６１    ユーザ名一覧表示欄
２３００    オク友依頼確認画面
２３５０    オク友依頼完了画面
２４００    気になるユーザ登録確認画面
２４５０    気になるユーザ登録完了画面
２５００    オク友メールトップ画面
２６００    受信メール（登録申込）表示画面
２６５０    オク友登録確認画面
２７００    送信ユーザ選択画面
２７２０    送信メール選択画面
２７４０    送信メール（定型文）確認画面
２７６０    送信完了画面
２８００    自由文メール作成画面
２８５０    送信メール（自由文）確認画面
２９００    受信メール一覧画面
２９５０    受信メール表示画面
３０００    送信メール一覧画面
３０５０    送信メール表示画面
３１００    メール受信設定画面
３１５０    メール受信設定完了画面
３２００    オク友出品通知メール
３２２０    オク友申込通知メール
３２４０    オク友メール受信通知メール
３２６０    オク友バースデー通知メール
３３００    ポイント管理画面
３３２０    ポイント利用機能選択画面
３３４０    ポイント利用機能選択完了画面
【図１】
2008102629.tif 000003
【図２】
2008102629.tif 000004
【図３４】
2008102629.tif 000005
【図３】
2008102629.tif 000006
【図４】
2008102629.tif 000007
【図５】
2008102629.tif 000008
【図６】
2008102629.tif 000009
【図７】
2008102629.tif 000010
【図８】
2008102629.tif 000011
【図９】
2008102629.tif 000012
【図１０】
2008102629.tif 000013
【図１１】
2008102629.tif 000014
【図１２】
2008102629.tif 000015
【図１３】
2008102629.tif 000016
【図１４】
2008102629.tif 000017
【図１５】
2008102629.tif 000018
【図１６】
2008102629.tif 000019
【図１７】
2008102629.tif 000020
【図１８】
2008102629.tif 000021
【図１９】
2008102629.tif 000022
【図２０】
2008102629.tif 000023
【図２１】
2008102629.tif 000024
【図２２】
2008102629.tif 000025
【図２３】
2008102629.tif 000026
【図２４】
2008102629.tif 000027
【図２５】
2008102629.tif 000028
【図２６】
2008102629.tif 000029
【図２７】
2008102629.tif 000030
【図２８】
2008102629.tif 000031
【図２９】
2008102629.tif 000032
【図３０】
2008102629.tif 000033
【図３１】
2008102629.tif 000034
【図３２】
2008102629.tif 000035
【図３３】
2008102629.tif 000036